(57)【特許請求の範囲】
【請求項１】
無線端末と無線基地局との間でＲＲＣコネクションが設定されたＲＲＣコネクティッド状態において、前記無線基地局から送信される下り方向信号を監視すべきオン期間及び前記オン期間以外のオフ期間を有するＤＲＸ周期を構成する移動通信方法であって、
前記無線端末が、前記ＲＲＣコネクティッド状態において、前記無線端末におけるサービスの更新に基づくことなく、前記無線端末の省電力化のために最適化された設定を望む場合に、前記無線端末の省電力化のために最適化された設定を望むことを示す情報を前記無線基地局に送信する工程を含み、
前記無線端末の省電力化のために最適化された設定は、前記ＤＲＸ周期が拡張される設定を含むことを特徴とする移動通信方法。
【請求項２】
無線端末と無線基地局との間でＲＲＣコネクションが設定されたＲＲＣコネクティッド状態において、前記無線基地局から送信される下り方向信号を監視すべきオン期間及び前記オン期間以外のオフ期間を有するＤＲＸ周期を構成する移動通信システムにおいて、前記下り方向信号を受信する無線端末であって、
前記ＲＲＣコネクティッド状態において、前記無線端末におけるサービスの更新に基づくことなく、前記無線端末の省電力化のために最適化された設定を望む場合に、前記無線端末の省電力化のために最適化された設定を望むことを示す情報を前記無線基地局に送信する制御部を備え、
前記無線端末の省電力化のために最適化された設定は、前記ＤＲＸ周期が拡張される設定を含むことを特徴とする無線端末。
【請求項３】
無線端末と無線基地局との間でＲＲＣコネクションが設定されたＲＲＣコネクティッド状態において、前記無線基地局から送信される下り方向信号を監視すべきオン期間及び前記オン期間以外のオフ期間を有するＤＲＸ周期を構成する移動通信システムにおいて、前記下り方向信号を受信する無線端末に備えられる装置であって、
前記ＲＲＣコネクティッド状態において、前記無線端末におけるサービスの更新に基づくことなく、前記無線端末の省電力化のために最適化された設定を望む場合に、前記無線端末の省電力化のために最適化された設定を望むことを示す情報を前記無線基地局に送信し、
前記無線端末の省電力化のために最適化された設定は、前記ＤＲＸ周期が拡張される設定を含むことを特徴とする装置。
【発明の詳細な説明】
【技術分野】
【０００１】
本発明は、サービングセルから送信される下り方向信号を監視すべきオン期間及びオン期間以外のオフ期間を有するＤＲＸ周期（間欠受信周期）を構成する移動通信方法及び無線端末に関する。
【背景技術】
【０００２】
ＬＴＥ（Ｌｏｎｇ  Ｔｅｒｍ  Ｅｖｏｌｕｔｉｏｎ）などの次世代通信システムでは、無線端末の消費電力を低減するために、ＤＲＸ（Ｄｉｓｃｏｎｔｉｎｕｏｕｓ  Ｒｅｃｅｐｔｉｏｎ）と称される技術が採用されている（例えば、非特許文献１）。【０００３】
ＤＲＸでは、ＤＲＸ周期（ＤＲＸ  Ｃｙｃｌｅ）内において、サービングセルから送信される下り方向信号（例えば、ＰＤＣＣＨ：Ｐｈｙｓｉｃａｌ  Ｄｏｗｎｌｉｎｋ  Ｃｏｎｔｒｏｌ  Ｃｈａｎｎｅｌ）を監視すべきオン期間（Ｏｎ  ｄｕｒａｔｉｏｎ）及びオン期間以外のオフ期間（Ｏｐｐｏｒｔｕｎｉｔｙ  ｆｏｒ  ＤＲＸ）が設けられる。無線基地局は、無線端末がオン期間である期間においてのみ、無線端末宛の専用信号を送信する。このように、無線端末は、オン期間においてのみ、無線基地局から送信される下り方向信号を監視すればよいように構成されており、オフ期間において受信機の電源を落としていると考えられる。なお、ＤＲＸ周期としては、２つの周期（ショートＤＲＸ周期及びロングＤＲＸ周期）を構成可能である。また、ＤＲＸモードは、無線端末と無線基地局との間でＲＲＣコネクションが設定された状態（ＲＲＣコネクティッド状態）において構成可能である。すなわち、ＤＲＸ周期のオフ期間は、ＲＲＣアイドル状態とは異なることに留意すべきである。なお、３ＧＰＰ規格においては、ロングＤＲＸ周期がマンダトリーであり、ショートＤＲＸ周期がオプショナルである。【０００４】
ところで、近年では、様々なアプリケーションを搭載する無線端末が増加している。アプリケーションは、サーバなどの通信相手に対して、キープアライブメッセージや状態更新メッセージなどの所定メッセージを定期的に送受信するように構成される。このようなケースでは、所定メッセージの送受信の度に、ＲＲＣ状態の遷移に起因する制御信号の送受信が発生するため、ネットワークリソースの逼迫が生じる。【０００５】
これに対して、このようなネットワークリソースの逼迫を防ぐために、既存のＤＲＸ周期（例えば、ショートＤＲＸ周期及びロングＤＲＸ周期）よりも長い周期（例えば、拡張ＤＲＸ周期）のＤＲＸ周期を設けることが検討されている（例えば、非特許文献２）。
【先行技術文献】
【非特許文献】
【０００６】
【非特許文献１】ＴＳ３６．３２１  Ｖ１０．０．０
【非特許文献１】ＲＰ−１１０４５４
【発明の概要】
【発明が解決しようとする課題】
【０００７】
ところで、拡張ＤＲＸ周期としては数秒間以上の周期が想定されており、拡張ＤＲＸ周期は、ショートＤＲＸ周期及びロングＤＲＸ周期などと比べて非常に長い。従って、拡張ＤＲＸ周期のオフ期間も非常に長いことが想定される。【０００８】
従って、拡張ＤＲＸ周期が構成される場合において、様々な対策が必要であると考えられる。例えば、無線端末から上り方向信号を無線基地局が受信するタイミングを揃える処理において、上り方向信号の送信タイミング補正情報（以下、ＴＡ；Ｔｉｍｉｎｇ  Ａｄｖａｎｃｅ）を無線端末が受信する必要がある。しかしながら、無線端末は、オン期間においてのみ、ＴＡを受信するため、送信タイミング補正情報（ＴＡ）を受信する間隔がＴＡを受信すべき間隔（以下、ＴＡ受信最大間隔）を超えることが考えられる。このようなケースでは、無線端末の上り方向の同期ずれが生じてしまう。【０００９】
そこで、本発明は、上述した課題を解決するためになされたものであり、拡張ＤＲＸ周期が構成される場合において、オフ期間の長期化に伴う問題を抑制することを可能とする移動通信方法及び無線端末を提供することを目的とする。
【課題を解決するための手段】
【００１０】
第１の特徴に係る移動通信方法は、無線端末と無線基地局との間でＲＲＣコネクションが設定されたＲＲＣコネクティッド状態において、サービング基地局から送信される下り方向信号を監視すべきオン期間及び前記オン期間以外のオフ期間を有するＤＲＸ周期を構成する。移動通信方法は、前記無線端末が、前記ＤＲＸ周期が構成されている場合に、上り方向データチャネルの無線リソースが割当てられていなくても、上り方向制御チャネルを介して、タイミング調整要求上り方向信号を前記無線基地局に送信する工程Ａと、前記無線基地局が、前記タイミング調整要求上り方向信号に応じて、上り方向信号の送信タイミング補正情報（ＴＡ）を前記無線端末に送信する工程Ｂとを含む。【００１１】
第１の特徴において、前記工程Ａは、前記無線端末が、前記無線端末の移動速度が所定閾値を超えている場合に、前記タイミング調整要求上り方向信号を前記無線基地局に送信する工程を含む。【００１２】
第１の特徴において、移動通信方法は、前記無線基地局が、前記無線端末の移動速度に基づいて、前記送信タイミング補正情報（ＴＡ）を受信すべき最大受信間隔を決定する工程Ｃと、前記無線基地局が、前記最大受信間隔を前記無線端末に送信する工程Ｄとを含む。【００１３】
第１の特徴において、前記工程Ａは、前記無線端末が、前記送信タイミング補正情報（ＴＡ）を受信する間隔が前記最大受信間隔を超える前に、前記タイミング調整要求上り方向信号を前記無線基地局に送信する工程を含む。【００１４】
第２の特徴に係る無線端末は、移動通信システムにおいて、前記下り方向信号を受信する。移動通信システムは、無線端末と無線基地局との間でＲＲＣコネクションが設定されたＲＲＣコネクティッド状態において、サービング基地局から送信される下り方向信号を監視すべきオン期間及び前記オン期間以外のオフ期間を有するＤＲＸ周期を構成する。無線端末は、前記ＤＲＸ周期が構成されている場合に、上り方向データチャネルの無線リソースが割当てられていなくても、上り方向制御チャネルを介して、タイミング調整要求上り方向信号を前記無線基地局に送信する制御部を備える。
【図面の簡単な説明】
【００１５】
【図１】図１は、第１実施形態に係る移動通信システム１００を示す図である。
【図２】図２は、第１実施形態に係る無線フレームを示す図である。
【図３】図３は、第１実施形態に係る無線リソースを示す図である。
【図４】図４は、第１実施形態に係るショートＤＲＸ周期を示す図である。
【図５】図５は、第１実施形態に係るロングＤＲＸ周期を示す図である。
【図６】図６は、第１実施形態に係る拡張ＤＲＸ周期を示す図である。
【図７】図７は、第１実施形態に係るＵＥ１０を示すブロック図である。
【図８】図８は、第１実施形態に係る移動通信方法を示すシーケンス図である。
【図９】図９は、変更例１に係る移動通信方法を示すシーケンス図である。
【図１０】図１０は、変更例２に係る移動通信方法を示すシーケンス図である。
【発明を実施するための形態】
【００１６】
以下において、本発明の実施形態に係る移動通信システムについて、図面を参照しながら説明する。なお、以下の図面の記載において、同一又は類似の部分には、同一又は類似の符号を付している。
【００１７】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１８】
［実施形態の概要］
実施形態に係る移動通信方法は、無線端末と無線基地局との間でＲＲＣコネクションが設定されたＲＲＣコネクティッド状態において、サービング基地局から送信される下り方向信号を監視すべきオン期間及び前記オン期間以外のオフ期間を有するＤＲＸ周期を構成する。移動通信方法は、前記無線端末が、前記ＤＲＸ周期が構成されている場合に、上り方向データチャネルの無線リソースが割当てられていなくても、上り方向制御チャネルを介して、タイミング調整要求上り方向信号を前記無線基地局に送信する工程Ａと前記無線基地局が、前記タイミング調整要求上り方向信号に応じて、上り方向信号の送信タイミング補正情報（ＴＡ）を前記無線端末に送信する工程Ｂとを含む。
【００１９】
実施形態では、無線端末は、ＤＲＸ周期が構成されている場合に、上り方向データチャネルの無線リソースが割当てられていなくても、タイミング調整要求上り方向信号を送信する。これによって、非常に長いＤＲＸ周期が構成されたとしても、送信タイミング補正情報（ＴＡ）が無線基地局から送信されるため、無線端末と無線基地局との同期ずれが抑制される。
【００２０】
実施形態では、無線端末は、ＤＲＸ周期が構成されている場合に、上り方向制御チャネルを介して、タイミング調整要求上り方向信号を送信する。これによって、ＤＲＸ周期を解除することなく、無線端末と無線基地局との同期ずれが抑制される。
【００２１】
［第１実施形態］
（移動通信システム）
以下において、第１実施形態に係る移動通信システムについて説明する。図１は、第１実施形態に係る移動通信システム１００を示す図である。
【００２２】
図１に示すように、移動通信システム１００は、携帯端末１０（以下、ＵＥ１０）と、コアネットワーク５０とを含む。また、移動通信システム１００は、第１通信システムと第２通信システムとを含む。
【００２３】
第１通信システムは、例えば、ＬＴＥ（Ｌｏｎｇ  Ｔｅｒｍ  Ｅｖｏｌｕｔｉｏｎ）に対応する通信システムである。第１通信システムは、例えば、無線基地局１１０（以下、ｅＮＢ１１０）と、ＭＭＥ１２０とを有する。なお、第１通信システムでは、第１ＲＡＴ（ＥＵＴＲＡＮ；Ｅｖｏｌｖｅｄ  Ｕｎｉｖｅｒｓａｌ  Ｔｅｒｒｅｓｔｒｉａｌ  Ａｃｃｅｓｓ  Ｎｅｔｗｏｒｋ）が用いられる。
【００２４】
第２通信システムは、例えば、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）に対応する通信システムである。第２通信システムは、無線基地局２１０と、ＲＮＣ２２０と、ＳＧＳＮ２３０とを有する。なお、第２通信システムでは、第２ＲＡＴ（ＵＴＲＡＮ；Ｕｎｉｖｅｒｓａｌ  Ｔｅｒｒｅｓｔｒｉａｌ  Ａｃｃｅｓｓ  Ｎｅｔｗｏｒｋ）が用いられる。
【００２５】
ＵＥ１０は、第１通信システム及び第２通信システムと通信を行うように構成された装置（Ｕｓｅｒ  Ｅｑｕｉｐｍｅｎｔ）である。例えば、ＵＥ１０は、ｅＮＢ１１０と無線通信を行う機能を有するとともに、無線基地局２１０と無線通信を行う機能を有する。
【００２６】
ｅＮＢ１１０は、セル１１１を有しており、セル１１１に存在するＵＥ１０と無線通信を行う装置（ｅｖｏｌｖｅｄ  ＮｏｄｅＢ）である。
【００２７】
ＭＭＥ１２０は、ｅＮＢ１１０と無線接続を設定しているＵＥ１０の移動性を管理する装置（Ｍｏｂｉｌｉｔｙ  Ｍａｎａｇｅｍｅｎｔ  Ｅｎｔｉｔｙ）である。ＭＭＥ１２０は、コアネットワーク５０に設けられる。
【００２８】
無線基地局２１０は、セル２１１を有しており、セル２１１に存在するＵＥ１０と無線通信を行う装置（ＮｏｄｅＢ）である。
【００２９】
ＲＮＣ２２０は、無線基地局２１０に接続されており、セル２１１に存在するＵＥ１０と無線接続（ＲＲＣ  Ｃｏｎｎｅｃｔｉｏｎ）を設定する装置（Ｒａｄｉｏ  Ｎｅｔｗｏｒｋ  Ｃｏｎｔｒｏｌｌｅｒ）である。
【００３０】
ＳＧＳＮ２３０は、パケット交換ドメインにおいてパケット交換を行う装置（Ｓｅｒｖｉｎｇ  ＧＰＲＳ  Ｓｕｐｐｏｒｔ  Ｎｏｄｅ）である。ＳＧＳＮ２３０は、コアネットワーク５０に設けられる。図１では省略しているが、回線交換ドメインにおいて回線交換を行う装置（ＭＳＣ；Ｍｏｂｉｌｅ  Ｓｗｉｔｃｈｉｎｇ  Ｃｅｎｔｅｒ）がコアネットワーク５０に設けられていてもよい。
【００３１】
なお、以下においては、第１通信システムについて主として説明する。但し、以下の記載が第２通信システムに適用されてもよい。また、セルは、ＵＥ１０と無線通信を行う機能として理解すべきである。但し、セルは、セルと通信可能な範囲を示すサービスエリアと考えてもよい。
【００３２】
ここで、第１通信システムでは、下り方向の多重方式として、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式が用いられており、上り方向の多重方式として、ＳＣ−ＦＤＭＡ（Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式が用いられる。
【００３３】
また、第１通信システムでは、上り方向のチャネルとして、上り方向制御チャネル（ＰＵＣＣＨ；Ｐｈｙｓｉｃａｌ  Ｕｐｌｉｎｋ  Ｃｏｎｔｒｏｌ  Ｃｈａｎｎｅｌ）及び上り方向共有チャネル（ＰＵＳＣＨ；Ｐｈｙｓｉｃａｌ  Ｕｐｌｉｎｋ  Ｓｈａｒｅｄ  Ｃｈａｎｎｅｌ）などが存在する。また、下り方向のチャネルとして、下り方向制御チャネル（ＰＤＣＣＨ；Ｐｈｙｓｉｃａｌ  Ｄｏｗｎｌｉｎｋ  Ｃｏｎｔｒｏｌ  Ｃｈａｎｎｅｌ）及び下り方向共有チャネル（ＰＤＳＣＨ；Ｐｈｙｓｉｃａｌ  Ｄｏｗｎｌｉｎｋ  Ｓｈａｒｅｄ  Ｃｈａｎｎｅｌ）などが存在する。
【００３４】
上り方向制御チャネルは、制御信号を搬送するチャネルである。制御信号は、例えば、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＲＩ（Ｒａｎｋ  Ｉｎｄｉｃａｔｏｒ）、ＳＲ（Ｓｃｈｅｄｕｌｉｎｇ  Ｒｅｑｕｅｓｔ）、ＡＣＫ／ＮＡＣＫなどである。
【００３５】
ＣＱＩは、下り方向の伝送に使用すべき推奨変調方式と符号化速度を通知する信号である。ＰＭＩは、下り方向の伝送の為に使用することが望ましいプリコーダマトリックスを示す信号である。ＲＩは、下り方向の伝送に使用すべきレイヤ数（ストリーム数）を示す信号である。ＳＲは、上り方向無線リソース（後述するリソースブロック）の割当てを要求する信号である。ＡＣＫ／ＮＡＣＫは、下り方向のチャネル（例えば、ＰＤＳＣＨ）を介して送信される信号を受信できたか否かを示す信号である。
【００３６】
上り方向共有チャネルは、制御信号（上述した制御信号を含む）又は／及びデータ信号を搬送するチャネルである。例えば、上り方向無線リソースは、データ信号にのみ割当てられてもよく、データ信号及び制御信号が多重されるように割当てられてもよい。
【００３７】
下り方向制御チャネルは、制御信号を搬送するチャネルである。制御信号は、例えば、Ｕｐｌｉｎｋ  ＳＩ（Ｓｃｈｅｄｕｌｉｎｇ  Ｉｎｆｏｒｍａｔｉｏｎ）、Ｄｏｗｎｌｉｎｋ  ＳＩ（Ｓｃｈｅｄｕｌｉｎｇ  Ｉｎｆｏｒｍａｔｉｏｎ）、ＴＰＣビットである。
【００３８】
Ｕｐｌｉｎｋ  ＳＩは、上り方向無線リソースの割当てを示す信号である。Ｄｏｗｎｌｉｎｋ  ＳＩは、下り方向無線リソースの割当てを示す信号である。ＴＰＣビットは、上り方向のチャネルを介して送信される信号の電力の増減を指示する信号である。
【００３９】
下り方向共有チャネルは、制御信号又は／及びデータ信号を搬送するチャネルである。例えば、下り方向無線リソースは、データ信号にのみ割当てられてもよく、データ信号及び制御信号が多重されるように割当てられてもよい。
【００４０】
なお、下り方向共有チャネルを介して送信される制御信号としては、ＴＡ（Ｔｉｍｉｎｇ  Ａｄｖａｎｃｅ）が挙げられる。ＴＡは、ＵＥ１０とｅＮＢ１１０との間の送信タイミング補正情報であり、ＵＥ１０から送信される上り方向信号に基づいてｅＮＢ１１０によって測定される。
【００４１】
また、下り方向制御チャネル（ＰＤＣＣＨ）下り方向共有チャネル（ＰＤＳＣＨ）以外のチャネルを介して送信される制御信号としては、ＡＣＫ／ＮＡＣＫが挙げられる。ＡＣＫ／ＮＡＣＫは、上り方向のチャネル（例えば、ＰＵＳＣＨ）を介して送信される信号を受信できたか否かを示す信号である。
【００４２】
（無線フレーム）
以下において、第１通信システムにおける無線フレームについて説明する。図２は、第１通信システムにおける無線フレームを示す図である。
【００４３】
図２に示すように、１つの無線フレームは、１０のサブフレームによって構成されており、１つのサブフレームは、２つのスロットによって構成される。１つのスロットの時間長は、０．５ｍｓｅｃであり、１つのサブフレームの時間長は、１ｍｓｅｃであり、１つの無線フレームの時間長は、１０ｍｓｅｃである。
【００４４】
なお、１つのスロットは、下り方向において、複数のＯＦＤＭシンボル（例えば、６つのＯＦＤＭシンボル或いは７つのＯＦＤＭシンボル）によって構成される。同様に、１つのスロットは、上り方向において、複数のＳＣ−ＦＤＭＡシンボル（例えば、６つのＳＣ−ＦＤＭＡシンボル或いは７つのＳＣ−ＦＤＭＡシンボル）によって構成される。
【００４５】
（無線リソース）
以下において、第１通信システムにおける無線リソースについて説明する。図３は、第１通信システムにおける無線リソースを示す図である。
【００４６】
図３に示すように、無線リソースは、周波数軸及び時間軸によって定義される。周波数は、複数のサブキャリアによって構成されており、所定数のサブキャリア（１２のサブキャリア）を纏めてリソースブロック（ＲＢ：Ｒｅｓｏｕｒｃｅ  Ｂｌｏｃｋ）と称する。時間は、上述したように、ＯＦＤＭシンボル（又は、ＳＣ−ＦＤＭＡシンボル）、スロット、サブフレーム、無線フレームなどの単位を有する。
【００４７】
ここで、無線リソースは、１リソースブロック毎に割当て可能である。また、周波数軸及び時間軸上において、複数のユーザ（例えば、ユーザ＃１〜ユーザ＃５）に対して分割して無線リソースを割当てることが可能である。
【００４８】
また、無線リソースは、ｅＮＢ１１０によって割当てられる。ｅＮＢ１１０は、ＣＱＩ、ＰＭＩ、ＲＩなどに基づいて、各ＵＥ１０に割当てられる。
【００４９】
（間欠受信）
以下において、間欠受信（ＤＲＸ；Ｄｉｓｃｏｎｔｉｎｕｏｕｓ  Ｒｅｃｅｐｔｉｏｎ）について説明する。図４〜図６は、間欠受信について説明するための図である。ＵＥ１０は、消費電力を抑制するために、間欠受信を構成することが可能である。なお、ここでは、ＵＥ１０とｅＮＢ１１０との間でＲＲＣコネクションが設定された状態（ＲＲＣコネクティッド状態）において間欠受信が構成されるケースについて説明する。
【００５０】
図４〜図６に示すように、間欠受信（ＤＲＸ）では、ＤＲＸ周期（ＤＲＸ  Ｃｙｃｌｅ）内において、サービングセルから送信される下り方向信号を監視すべきオン期間（Ｏｎ  ｄｕｒａｔｉｏｎ）及びオン期間以外のオフ期間（Ｏｐｐｏｒｔｕｎｉｔｙ  ｆｏｒ  ＤＲＸ）が設けられる。ｅＮＢ１１０は、ＵＥ１０がオン期間である期間においてのみ、ＵＥ１０宛の専用信号を送信する。このように、ＵＥ１０は、オン期間においてのみ、ｅＮＢ１１０から送信される下り方向信号（例えば、ＰＤＣＣＨ：Ｐｈｙｓｉｃａｌ  Ｄｏｗｎｌｉｎｋ  Ｃｏｎｔｒｏｌ  Ｃｈａｎｎｅｌ）を監視すればよいように構成されており、オフ期間において受信機の電源を落としていると考えられる。
【００５１】
なお、ＤＲＸ周期としては、複数種類の周期を構成することが可能である。ここでは、３つのＤＲＸ周期（ショートＤＲＸ周期、ロングＤＲＸ周期、拡張ＤＲＸ周期）について説明する。
【００５２】
図４に示すように、ショートＤＲＸ周期は、短い周期である。ショートＤＲＸ周期の長さは、特に限定されるものではないが、数ミリ秒オーダー（例えば、８０ｍｓｅｃ）である。
【００５３】
例えば、ショートＤＲＸ周期は、ｅＮＢ１１０から受信する指示（ＤＲＸ  Ｃｏｍｍａｎｄ）に応じて構成される。或いは、ショートＤＲＸ周期は、下り方向信号（例えば、ＰＤＣＣＨ）を最後に受信してから所定期間が経過した場合に構成される。なお、ショートＤＲＸ周期はオプションであり、ショートＤＲＸ周期が設定されないこともある。
【００５４】
図５に示すように、ロングＤＲＸ周期は、ショートＤＲＸ周期よりも長い周期である。ロングＤＲＸ周期の長さは、特に限定されるものではないが、数ミリ秒オーダー（例えば、１６０ｍｓｅｃ）である。
【００５５】
例えば、ロングＤＲＸ周期を構成する際には、ｅＮＢ１１０から構成パラメータ（ＤＲＸ  Ｃｏｎｆｉｇ．）が通知される。ロングＤＲＸ周期は、下り方向信号（例えば、ＰＤＣＣＨ）を最後に受信してから所定期間が経過した場合に構成される。或いは、ロングＤＲＸ周期は、ショートＤＲＸ周期が構成されてから所定期間が経過した場合に構成される。
【００５６】
図６に示すように、拡張ＤＲＸ周期は、ロングＤＲＸ周期よりも長い周期である。拡張ＤＲＸ周期の長さは、特に限定されるものではないが、ショートＤＲＸ周期及びロングＤＲＸ周期よりも非常に長い周期であり、例えば、数秒オーダーである。例えば、拡張ＤＲＸ周期は、ＵＥ１０とｅＮＢ１１０との間でＲＲＣコネクションが設定されていない状態（ＲＲＣアイドル状態）において、ＵＥ１０の着信を通知するページング信号を監視する周期（Ｐａｇｉｎｇ  Ｃｈａｎｎｅｌ  Ｍｏｎｉｔｏｒｉｎｇ  Ｃｙｃｌｅ）と同等である。或いは、拡張ＤＲＸ周期は、ＲＲＣアイドル状態において、ＵＥ１０の着信を通知するページング信号を監視する周期よりも長い。
【００５７】
例えば、拡張ＤＲＸ周期を構成する際には、ｅＮＢ１１０から構成パラメータ（ＤＲＸ  Ｃｏｎｆｉｇ．）が通知される。拡張ＤＲＸ周期は、ＵＥ１０からの要求に対するｅＮＢ１１０の許可に応じて構成される。或いは、拡張ＤＲＸ周期は、下り方向信号（例えば、ＰＤＣＣＨ）を最後に受信してから所定期間が経過した場合に構成される。或いは、拡張ＤＲＸ周期は、ショートＤＲＸ周期又はロングＤＲＸ周期が構成されてから所定期間が経過した場合に構成される。また、他の例では、ＵＥ１０が予め静的な構成パラメータを知っており、拡張ＤＲＸ周期は、ＵＥ１０からの要求に対するｅＮＢ１１０の許可に応じて構成されてもよい。
【００５８】
なお、様々なアプリケーションを搭載するＵＥ１０の増加に伴って、所定メッセージの送受信の増加に起因するＲＲＣ状態の遷移が増加する。これによって、ＲＡＣＨ（Ｒａｎｄｏｍ  Ａｃｃｅｓｓ  Ｃｈａｎｎｅｌ）等の無線リソースの逼迫が予想されるため、ＵＥ１０の頻繁なＲＲＣ状態の遷移を抑制して、ネットワークリソースの逼迫を抑制するために拡張ＤＲＸ周期が構成される。なお、所定メッセージは、ＵＥ１０に搭載される様々なアプリケーションが通信相手に送信するメッセージ（キープアライブメッセージや状態更新メッセージ）などである。
【００５９】
（無線端末）
以下において、第１実施形態に係る無線端末について説明する。図７は、第１実施形態に係るＵＥ１０を示すブロック図である。図７に示すように、ＵＥ１０は、通信部１１と、制御部１２とを有する。
【００６０】
通信部１１は、ｅＮＢ１１０（或いは、無線基地局２１０）から信号を受信する。或いは、通信部１１は、ｅＮＢ１１０（或いは、無線基地局２１０）に信号を送信する。なお、通信部１１は、例えば、アンテナ（ＭＩＭＯが用いられる場合には、複数のアンテナ）、復調部、変調部などを有する。
【００６１】
制御部１２は、ＵＥ１０を制御する。例えば、制御部１２は、間欠受信（ＤＲＸ）が構成された場合において、通信部１１のオン／オフを制御する。すなわち、制御部１２は、サービングセルから送信される下り方向信号を監視すべきオン期間において、通信部１１をオンにして、ｅＮＢ１１０から送信される下り方向信号（例えば、ＰＤＣＣＨ）を監視する。制御部１２は、サービングセルから送信される下り方向信号を監視すべきオン期間以外のオフ期間において、通信部１１をオフにして、ｅＮＢ１１０から送信される下り方向信号（例えば、ＰＤＣＣＨ）を監視しない。
【００６２】
詳細には、制御部１２は、ＤＲＸ周期が構成されている場合に、上り方向データチャネル（例えば、ＰＤＳＣＨ）の無線リソースが割当てられていなくても、上り方向制御チャネル（例えば、ＰＤＣＣＨ）を介して、タイミング調整要求上り方向信号をｅＮＢ１１０に送信する。
【００６３】
ここで、タイミング調整要求上り方向信号は、既存の制御信号（例えば、ＣＱＩ、ＰＭＩ、ＲＩ、ＳＲＳなど）に追加される疑似的な信号（ランダムな情報、ゼロの情報）であってもよい。或いは、タイミング調整要求上り方向信号は、新たに定義される疑似的な信号（ランダムな情報、ゼロの情報）であってもよい。
【００６４】
また、タイミング調整要求上り方向信号は、ＵＥ１０とｅＮＢ１１０との間の伝搬遅延時間をｅＮＢ１１０が測定するために用いる信号である。言い換えると、タイミング調整要求上り方向信号は、送信タイミング補正情報（ＴＡ；Ｔｉｍｉｎｇ  Ａｄｖａｎｃｅ）をｅＮＢ１１０に要求する信号である。
【００６５】
制御部１２は、ｅＮＢ１１０から送信タイミング補正情報（ＴＡ）を受信すると、上り方向信号の送信タイミングを調整する。送信タイミングは、例えば、１６×Ｔｓ（０．５２μ秒）の精度で調整される。なお、Ｔｓは、ＬＴＥにおける基本の単位時間であり、例えば、１／（１５０００×２０４８）秒である。
【００６６】
ここで、送信タイミング補正情報（ＴＡ）を受信すべきＴＡ受信最大間隔が定められることに留意すべきである。例えば、ＴＡ受信最大間隔は、ｅＮＢ１１０によって決定されて、ｅＮＢ１１０からＵＥ１０に送信されてもよい。或いは、ＴＡ受信最大間隔は、ＵＥ１０によって決定されてもよい。例えば、ＴＡ受信最大間隔は、ＵＥ１０の移動速度に基づいて決定される。詳細には、ＵＥ１０の移動速度が遅いほど、ＴＡ受信最大間隔として長い時間が決定される。
【００６７】
ここで、制御部１２は、送信タイミング補正情報（ＴＡ）を受信する間隔を監視する所定タイマ（ＴｉｍｉｎｉｎｇＡｌｉｇｎｍｅｎｔＴｉｍｅｒ）を有する。制御部１２は、送信タイミング補正情報（ＴＡ）を受信すると、ＴＡ受信最大間隔を所定タイマにセットする。従って、制御部１２は、ＴＡ受信最大間隔がセットされたタイマが満了した場合に、ＵＥ１０とｅＮＢ１１０との同期ずれが生じたと判断する。言い換えると、制御部１２は、ｅＮＢ１１０から連続して受信する送信タイミング補正情報（ＴＡ）の間隔がＴＡ受信最大間隔を超えると、ＵＥ１０とｅＮＢ１１０との同期ずれが生じたと判断する。
【００６８】
ここで、制御部１２は、ＴＡ受信最大間隔がセットされた所定タイマが満了する前において、タイミング調整要求上り方向信号をｅＮＢ１１０に送信することが好ましい。
【００６９】
なお、制御部１２は、所定周期でタイミング調整要求上り方向信号をｅＮＢ１１０に送信してもよい。或いは、制御部１２は、ＵＥ１０の移動速度が所定閾値を超えている場合に、タイミング調整要求上り方向信号をｅＮＢ１１０に送信してもよい。
【００７０】
なお、ＵＥ１０の移動速度は、所定時間におけるハンドオーバ回数によって測定されてもよい。或いは、ＵＥ１０がＧＰＳ（Ｇｌｏｂａｌ  Ｐｏｓｉｔｉｏｎｉｎｇ  Ｓｙｓｔｅｍ）を搭載している場合には、ＵＥ１０の移動速度は、ＧＰＳを用いて測定されてもよい。或いは、ＵＥ１０が加速度センサを搭載している場合には、ＵＥ１０の移動速度は、加速度センサを用いて測定されてもよい。
【００７１】
（移動通信方法）
以下において、第１実施形態に係る移動通信方法について説明する。図８は、第１実施形態に係る移動通信方法を示すシーケンス図である。
【００７２】
図８に示すように、ステップ１０において、ＵＥ１０は、接続要求（ＲＲＣ  Ｃｏｎｎｅｃｔｉｏｎ  Ｒｅｑｕｅｓｔ）をｅＮＢ１１０に送信する。
【００７３】
ステップ２０において、ｅＮＢ１１０は、接続設定（ＲＲＣ  Ｃｏｎｎｅｃｔｉｏｎ  Ｓｅｔｕｐ）をＵＥ１０に送信する。
【００７４】
ステップ３０において、ＵＥ１０は、接続完了（ＲＲＣ  Ｃｏｎｎｅｃｔｉｏｎ  Ｃｏｍｐｌｅｔｅ）をｅＮＢ１１０に送信する。
【００７５】
ステップ４０において、ＵＥ１０は、ＤＲＸを構成する。例えば、ＵＥ１０は、拡張ＤＲＸ周期を構成する。
【００７６】
ステップ５０において、ＵＥ１０は、上り方向データチャネル（例えば、ＰＵＳＣＨ）の無線リソースが割当てられていなくても、上り方向制御チャネル（例えば、ＰＵＳＣＨ）を介して、タイミング調整要求上り方向信号をｅＮＢ１１０に送信する。ここでは、サービングセルから送信される下り方向信号を監視すべきオン期間以外の期間（すなわち、オフ期間）において、タイミング調整要求上り方向信号をｅＮＢ１１０に送信するケースが例示されている。
【００７７】
なお、ＵＥ１０は、所定周期でタイミング調整要求上り方向信号をｅＮＢ１１０に送信してもよい。或いは、ＵＥ１０は、ＵＥ１０の移動速度が所定閾値を超えている場合に、タイミング調整要求上り方向信号をｅＮＢ１１０に送信してもよい。
【００７８】
ステップ６０において、ｅＮＢ１１０は、タイミング調整要求上り方向信号の受信タイミングに応じて、ＵＥ１０とｅＮＢ１１０との間の送信タイミング補正情報（すなわち、ＴＡ；Ｔｉｍｉｎｇ  Ａｄｖａｎｃｅ）を決定する。
【００７９】
ステップ７０において、ｅＮＢ１１０は、ステップ６０で決定された送信タイミング補正情報（ＴＡ）をＵＥ１０に送信する。なお、ＤＲＸが構成されているため、ｅＮＢ１１０は、オン期間において、送信タイミング補正情報（ＴＡ）を送信することが好ましい。
【００８０】
ステップ８０において、ＵＥ１０は、ｅＮＢ１１０から受信する送信タイミング補正情報（ＴＡ）に基づいて、上り方向信号の送信タイミングを調整する。なお、送信タイミングは、上述したように、例えば、１６×Ｔｓ（０．５２μ秒）の精度で調整される。
【００８１】
（作用及び効果）
第１実施形態では、ＵＥ１０は、ＤＲＸ周期が構成されている場合に、上り方向データチャネルの無線リソースが割当てられていなくても、タイミング調整要求上り方向信号を送信する。これによって、非常に長いＤＲＸ周期が構成されたとしても、ｅＮＢ１１０から送信タイミング補正情報（ＴＡ）が送信されるため、ＵＥ１０とｅＮＢ１１０との同期ずれが抑制される。
【００８２】
第１実施形態では、ＵＥ１０は、ＤＲＸ周期が構成されている場合に、上り方向制御チャネルを介して、タイミング調整要求上り方向信号を送信する。これによって、ＤＲＸ周期を解除することなく、ｅＮＢ１１０から送信タイミング補正情報（ＴＡ）が送信されるため、ＵＥ１０とｅＮＢ１１０との同期ずれが抑制される。
【００８３】
第１実施形態では、ＵＥ１０の移動速度に基づいてＴＡ受信最大間隔が決定される。従って、ＵＥ１０とｅＮＢ１１０との同期ずれが生じたと判断される可能性が軽減される。
【００８４】
第１実施形態では、ＵＥ１０は、ＵＥ１０の移動速度が所定閾値を超えている場合に、タイミング調整要求上り方向信号をｅＮＢ１１０に送信する。言い換えると、ＵＥ１０は、ｅＮＢ１１０が上り方向信号を受信するタイミングのずれが生じる可能性がある場合にのみ、タイミング調整要求上り方向信号を送信する。これによって、タイミング調整要求上り方向信号の送信に伴う無線リソースの浪費を抑制することができる。
【００８５】
［変更例１］
以下において、第１実施形態の変更例１について説明する。以下においては、第１実施形態に対する差異について主として説明する。
【００８６】
変更例１では、上り方向信号の送信タイミングを調整する処理がｅＮＢ１１０において必須であり、ｅＮＢ１１０の主導で拡張ＤＲＸ周期が設定されるケースについて説明する。
【００８７】
このようなケースでは、（１−１）拡張ＤＲＸ周期の周期が１種類である場合には、上り方向信号の送信タイミングを調整すべき周期（すなわち、送信タイミング補正情報（ＴＡ）を受信すべきＴＡ受信最大間隔）が拡張ＤＲＸ周期よりも長い場合に、ｅＮＢ１１０は、拡張ＤＲＸ周期の設定を許可するように構成される。或いは、ＴＡ受信最大間隔のｎ倍（ｎは、１以上の実数）が拡張ＤＲＸ周期よりも長い場合に、ｅＮＢ１１０は、拡張ＤＲＸ周期の設定を許可するように構成されてもよい。
【００８８】
なお、送信タイミング補正情報（ＴＡ）を受信する間隔は、所定タイマ（ＴｉｍｉｎｉｎｇＡｌｉｇｎｍｅｎｔＴｉｍｅｒ）によって監視されており、送信タイミング補正情報（ＴＡ）を受信すると、ＴＡ受信最大間隔が所定タイマにセットされる。従って、ＴＡ受信最大間隔がセットされたタイマが満了した場合に、ＵＥ１０とｅＮＢ１１０との同期ずれが生じたと判断される。
【００８９】
或いは、（１−２）拡張ＤＲＸ周期の周期が複数種類である場合には、ＴＡ受信最大間隔がＵＥ１０から要求された周期（拡張ＤＲＸ周期）よりも長い場合に、ｅＮＢ１１０は、拡張ＤＲＸ周期の設定を許可するように構成される。或いは、ＴＡ受信最大間隔のｎ倍（ｎは、１以上の実数）がＵＥ１０から要求された周期（拡張ＤＲＸ周期）よりも長い場合に、ｅＮＢ１１０は、拡張ＤＲＸ周期の設定を許可するように構成されてもよい。
【００９０】
このような前提において、所定タイマ（ＴｉｍｉｎｉｎｇＡｌｉｇｎｍｅｎｔＴｉｍｅｒ）が満了する前において、ＵＥ１０は、上り方向信号を送信する。上り方向信号の送信は、ＵＥ１０によって自律的に行われてもよく、ｅＮＢ１１０の指示に応じてＵＥ１０によって行われてもよい。
【００９１】
（移動通信方法）
以下において、変更例１に係る移動通信方法について説明する。図９は、変更例１に係る移動通信方法を示すシーケンス図である。
【００９２】
図９に示すように、ステップ１０において、ＵＥ１０は、接続要求（ＲＲＣ  Ｃｏｎｎｅｃｔｉｏｎ  Ｒｅｑｕｅｓｔ）をｅＮＢ１１０に送信する。
【００９３】
ステップ２０において、ｅＮＢ１１０は、接続設定（ＲＲＣ  Ｃｏｎｎｅｃｔｉｏｎ  Ｓｅｔｕｐ）をＵＥ１０に送信する。
【００９４】
ステップ３０において、ＵＥ１０は、接続完了（ＲＲＣ  Ｃｏｎｎｅｃｔｉｏｎ  Ｃｏｍｐｌｅｔｅ）をｅＮＢ１１０に送信する。
【００９５】
ステップ１４０において、ｅＮＢ１１０は、ＴＡ受信最大間隔（図９では、ＴＡＴ）を決定する。例えば、ＴＡ受信最大間隔は、ＵＥ１０の移動速度に基づいて決定される。
【００９６】
ステップ１５０において、ｅＮＢ１１０は、ステップ１４０で決定されたＴＡ受信最大間隔（図９では、ＴＡＴ）をＵＥ１０に送信する。
【００９７】
ステップ１６０において、ＵＥ１０は、拡張ＤＲＸ周期の設定を要求する拡張ＤＲＸ要求をｅＮＢ１１０に送信する。なお、拡張ＤＲＸ周期の周期が複数種類である場合には、ＵＥ１０は、ＵＥ１０によって選択された拡張ＤＲＸ周期の周期を拡張ＤＲＸ要求に含めてもよい。
【００９８】
ステップ１７０において、ｅＮＢ１１０は、拡張ＤＲＸ周期の設定を許可するか否かを判定する。具体的には、ｅＮＢ１１０は、ＴＡ受信最大間隔（或いは、ＴＡ受信最大間隔のｎ倍（ｎは、１以上の実数））が拡張ＤＲＸ周期よりも長いか否かを判定する。ｅＮＢ１１０は、拡張ＤＲＸ周期の設定を許可する場合には、ステップ１８０の処理に移る。一方で、ｅＮＢ１１０は、拡張ＤＲＸ周期の設定を拒否する場合には、ステップ１９０の処理を行った後に、一連の処理を終了する。
【００９９】
ステップ１８０において、ｅＮＢ１１０は、拡張ＤＲＸ周期の設定を許可する拡張ＤＲＸ許可をＵＥ１０に送信する。
【０１００】
ステップ１９０において、ｅＮＢ１１０は、拡張ＤＲＸ周期の設定を拒否する拡張ＤＲＸ拒否をＵＥ１０に送信する。
【０１０１】
ステップ２００において、ＵＥ１０は、拡張ＤＲＸ周期の設定が許可されたか否かを判定する。ＵＥ１０は、拡張ＤＲＸ周期の設定が許可された場合には、ステップ２１０の処理に移る。ＵＥ１０は、拡張ＤＲＸ周期の設定が拒否された場合には、一連の処理を終了する。
【０１０２】
ステップ２１０において、ＵＥ１０は、拡張ＤＲＸ周期を構成する。
【０１０３】
ステップ２２０において、ｅＮＢ１１０は、上り方向信号を要求する上り信号要求をＵＥ１０に送信する。例えば、上り信号要求は、ＰＤＣＣＨを介して送信される。
【０１０４】
ステップ２３０において、ＵＥ１０は、ｅＮＢ１１０から要求された上り方向信号をｅＮＢ１１０に送信する。
【０１０５】
ステップ２４０において、ｅＮＢ１１０は、上り方向信号の受信タイミングに応じて、ＵＥ１０とｅＮＢ１１０との間の送信タイミング補正情報（ＴＡ）を決定する。
【０１０６】
ステップ２５０において、ｅＮＢ１１０は、ステップ２４０で決定された送信タイミング補正情報（ＴＡ）をＵＥ１０に送信する。なお、ＤＲＸが構成されているため、ｅＮＢ１１０は、オン期間において、送信タイミング補正情報（ＴＡ）を送信することが好ましい。
【０１０７】
なお、ＵＥ１０は、ｅＮＢ１１０から受信する送信タイミング補正情報（ＴＡ）に基づいて、上り方向信号の送信タイミングを調整する。
【０１０８】
［変更例２］
以下において、第１実施形態の変更例２について説明する。以下においては、第１実施形態に対する差異について主として説明する。
【０１０９】
変更例２では、上り方向信号の送信タイミングを調整する処理がｅＮＢ１１０において必須ではなく、ＵＥ１０の主導で拡張ＤＲＸ周期が設定されるケースについて説明する。
【０１１０】
このようなケースでは、（２−１）拡張ＤＲＸ周期の周期が１種類である場合には、上り方向信号の送信タイミングを調整すべき周期（すなわち、送信タイミング補正情報（ＴＡ）を受信すべきＴＡ受信最大間隔）が拡張ＤＲＸ周期よりも長い場合に、ＵＥ１０は、拡張ＤＲＸ周期の設定をｅＮＢ１１０に要求する。或いは、ＴＡ受信最大間隔のｎ倍（ｎは、１以上の実数）が拡張ＤＲＸ周期よりも長い場合に、ＵＥ１０は、拡張ＤＲＸ周期の設定をｅＮＢ１１０に要求するように構成されてもよい。
【０１１１】
或いは、（２−１）拡張ＤＲＸ周期の周期が複数種類である場合には、ＵＥ１０は、ＴＡ受信最大間隔がＵＥ１０によって選択された拡張ＤＲＸ周期よりも長い場合に、拡張ＤＲＸ周期の設定をｅＮＢ１１０に要求する。或いは、ＴＡ受信最大間隔のｎ倍（ｎは、１以上の実数）がＵＥ１０によって選択された拡張ＤＲＸ周期よりも長い場合に、拡張ＤＲＸ周期の設定をｅＮＢ１１０に要求するように構成されてもよい。
【０１１２】
このような前提において、ＵＥ１０は、所定タイマ（ＴｉｍｉｎｉｎｇＡｌｉｇｎｍｅｎｔＴｉｍｅｒ）が満了する前において、タイミング調整要求上り方向信号を送信する。タイミング調整要求上り方向信号の送信は、ＵＥ１０によって自律的に行われてもよく、ｅＮＢ１１０の指示に応じてＵＥ１０によって行われてもよい。
【０１１３】
（移動通信方法）
以下において、変更例１に係る移動通信方法について説明する。図１０は、変更例１に係る移動通信方法を示すシーケンス図である。
【０１１４】
図１０に示すように、ステップ１０において、ＵＥ１０は、接続要求（ＲＲＣ  Ｃｏｎｎｅｃｔｉｏｎ  Ｒｅｑｕｅｓｔ）をｅＮＢ１１０に送信する。
【０１１５】
ステップ２０において、ｅＮＢ１１０は、接続設定（ＲＲＣ  Ｃｏｎｎｅｃｔｉｏｎ  Ｓｅｔｕｐ）をＵＥ１０に送信する。
【０１１６】
ステップ３０において、ＵＥ１０は、接続完了（ＲＲＣ  Ｃｏｎｎｅｃｔｉｏｎ  Ｃｏｍｐｌｅｔｅ）をｅＮＢ１１０に送信する。
【０１１７】
ステップ３４０において、ｅＮＢ１１０は、ＴＡ受信最大間隔（図９では、ＴＡＴ）を決定する。例えば、ＴＡ受信最大間隔は、ＵＥ１０の移動速度に基づいて決定される。
【０１１８】
ステップ３５０において、ｅＮＢ１１０は、ステップ１４０で決定されたＴＡ受信最大間隔（図１０では、ＴＡＴ）をＵＥ１０に送信する。
【０１１９】
ステップ３６０において、ＵＥ１０は、拡張ＤＲＸ周期の設定を要求するか否かを判定する。具体的には、ＵＥ１０は、ＴＡ受信最大間隔（或いは、ＴＡ受信最大間隔のｎ倍（ｎは、１以上の実数））が拡張ＤＲＸ周期よりも長いか否かを判定する。ＵＥ１０は、拡張ＤＲＸ周期の設定を要求する場合には、ステップ３６０の処理に移る。一方で、ｅＮＢ１１０は、拡張ＤＲＸ周期の設定を要求しない場合には、一連の処理を終了する。
【０１２０】
ステップ３７０において、ＵＥ１０は、拡張ＤＲＸ周期の設定を要求する拡張ＤＲＸ要求をｅＮＢ１１０に送信する。なお、拡張ＤＲＸ周期の周期が複数種類である場合には、ＵＥ１０は、ＵＥ１０によって選択された拡張ＤＲＸ周期の周期を拡張ＤＲＸ要求に含めてもよい。
【０１２１】
ステップ３８０において、ｅＮＢ１１０は、拡張ＤＲＸ周期の設定を許可する拡張ＤＲＸ許可をＵＥ１０に送信する。
【０１２２】
ステップ３９０において、ＵＥ１０は、拡張ＤＲＸ周期を構成する。
【０１２３】
ステップ４００において、ＵＥ１０は、上り方向データチャネル（例えば、ＰＵＳＣＨ）の無線リソースが割当てられていなくても、上り方向制御チャネル（例えば、ＰＵＣＣＨ）を介して、タイミング調整要求上り方向信号をｅＮＢ１１０に送信する。
【０１２４】
ステップ４１０において、ｅＮＢ１１０は、タイミング調整要求上り方向信号の受信タイミングに応じて、ＵＥ１０とｅＮＢ１１０との間の送信タイミング補正情報（ＴＡ）を決定する。
【０１２５】
ステップ２５０において、ｅＮＢ１１０は、ステップ２４０で決定された送信タイミング補正情報（ＴＡ）をＵＥ１０に送信する。なお、ＤＲＸが構成されているため、ｅＮＢ１１０は、オン期間において、送信タイミング補正情報（ＴＡ）を送信することが好ましい。
【０１２６】
なお、ＵＥ１０は、ｅＮＢ１１０から受信する送信タイミング補正情報（ＴＡ）に基づいて、上り方向信号の送信タイミングを調整する。
【０１２７】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１２８】
実施形態では特に触れていないが、タイミング調整要求上り方向信号を送信するために必要な構成（Ｃｏｎｆｉｇｕｒｅａｔｉｏｎ）は、ｅＮＢ１１０からＵＥ１０に対して、ＤＲＸ周期が構成される前に送信される。タイミング調整要求上り方向信号を送信するために必要な構成は、例えば、タイミング調整要求上り方向信号を送信する条件（例えば、移動速度と比較すべき所定閾値）、タイミング調整要求上り方向信号を送信する送信周期などである。タイミング調整要求上り方向信号を送信するために必要な構成は、例えば、ＲＲＣシグナリングでＵＥ１０に通知されてもよく、報知チャネルでＵＥ１０に通知されてもよい。報知チャネルは、ｅＮＢ１１０から報知されるチャネルであり、ＭＩＢ（Ｍａｓｔｅｒ  Ｉｎｆｏｒｍａｔｉｏｎ  Ｂｌｏｃｋ）やＳＩＢ（Ｓｙｓｔｅｍ  Ｉｎｆｏｒｍａｔｉｏｎ  Ｂｌｏｃｋ）を搬送する。
【０１２９】
一例としては、ＤＲＸ周期（特に、拡張ＤＲＸ周期）が構成される場合において、ＵＥ１０からｅＮＢ１１０に対して、ＤＲＸ周期の設定要求が送信されて、ｅＮＢ１１０からＵＥ１０に対して、ＤＲＸ周期の設定許可が送信されるケースが考えられる。このようなケースにおいて、タイミング調整要求上り方向信号を送信するために必要な構成は、ｅＮＢ１１０からＵＥ１０に送信される設定許可に含まれると考えられる。
【０１３０】
実施形態では特に触れていないが、タイミング調整要求上り方向信号を送信するタイミングは、ＴＡ受信最大間隔及び拡張ＤＲＸ周期に応じ決定されてもよい。すなわち、オン期間において送信タイミング補正情報（ＴＡ）をｅＮＢ１１０から受信することができるように、タイミング調整要求上り方向信号を送信するタイミングが決定される。例えば、タイミング調整要求上り方向信号を送信するタイミングは、オン期間が開始するタイミングに対して所定時間前のタイミングである。タイミング調整要求上り方向信号を送信するタイミングは、ｅＮＢ１１０によって決定されてもよく、ＵＥ１０によって決定されてもよい。
【０１３１】
実施形態では特に触れていないが、拡張ＤＲＸ周期を解除すべき解除条件が満たされた場合に、拡張ＤＲＸ周期が解除されてもよい。なお、拡張ＤＲＸ周期の解除については、ｅＮＢ１１０がＵＥ１０に対して拡張ＤＲＸ周期の解除を指示してもよく、ＵＥ１０がｅＮＢ１１０に対して拡張ＤＲＸ周期の解除を要求してもよい。
【０１３２】
解除条件は、ＴＡ受信最大間隔が不適切なほど、ＵＥ１０の移動速度が速いこと、すなわち、ＴＡ受信最大間隔によって定められる所定閾値をＵＥ１０の移動速度が超えることである。或いは、解除条件は、所定タイマ（ＴｉｍｉｎｉｎｇＡｌｉｇｎｍｅｎｔＴｉｍｅｒ）の値として、拡張ＤＲＸ周期を構成可能なＴＡ受信最大間隔を設定することができないことである。或いは、解除条件は、上り方向信号の送信タイミングが所定範囲から外れているとｅＮＢ１１０が判断することである。或いは、解除条件は、ｅＮＢ１１０から連続してＵＥ１０が受信するＴＡの変動量が所定閾値よりも大きいことである。
【産業上の利用可能性】
【０１３３】
本発明によれば、拡張ＤＲＸ周期などのＤＲＸ周期が構成される場合において、オフ期間の長期化に伴う問題を抑制することを可能とする移動通信方法及び無線端末を提供することができる。
【図１】
0005478775.tif 000002
【図２】
0005478775.tif 000003
【図３】
0005478775.tif 000004
【図４】
0005478775.tif 000005
【図５】
0005478775.tif 000006
【図６】
0005478775.tif 000007
【図７】
0005478775.tif 000008
【図８】
0005478775.tif 000009
【図９】
0005478775.tif 000010
【図１０】
0005478775.tif 000011